(57)【特許請求の範囲】
【請求項１】
トリガー主軸にグリップユニット方向への負荷を掛けない状態下で、トリガー主軸の先端を、トリガー主軸の基端よりもグリップユニットから遠い位置に配設し、このトリガー主軸の基端付近に、トリガー主軸と略直交する方向に伸びる直交軸を設け、この直交軸の先端付近に回動支軸を設け、この直交軸先端の回動支軸の隣接位置に偏芯凸部を設け、トリガー主軸にグリップユニット方向への負荷を掛けた際に、この偏芯凸部により押圧される揺動レバーを配設し、この揺動レバーは一端を送信機の本体に軸着し、揺動レバーの他端をコイルバネの先端に係止し、コイルバネの基端を送信機の本体に係止したことを特徴とするラジコン模型用送信機のトリガーユニット。
【請求項２】
直交軸の先端に、揺動レバーを挟持する形態の挟み込み部を形成したことを特徴とする請求項１記載のラジコン模型用送信機のトリガーユニット。
【発明の詳細な説明】
【技術分野】
【０００１】
本発明は、ラジコン（ラジオコントロール）模型自動車などをはじめとする各種のラジコン模型に制御信号を送信する送信機（コントローラー）のトリガーユニットに関し、さらに詳しくはトリガーユニットのトリガー主軸をグリップユニット方向（手前方向）に引き寄せる際、トリガー主軸が指の動きに馴染むように移動できるトリガーユニットに関する。
【背景技術】
【０００２】
従来のラジコン模型用送信機のトリガーユニットは、多くの場合スピード調整用（前進／後進の切り換えを含む）のユニット機能をもつスロットルトリガーであり、そのトリガー主軸を手前方向（グリップユニット方向）に引き寄せるように負荷を掛けることでラジコン模型のスピードを高め、トリガー主軸を引き寄せる力を緩める（トリガー主軸への負荷を解除する）ことでスピードを落とすように構成されている。
【０００３】
図４は、従来タイプのトリガーユニットを示した正面図で、（ａ）はトリガー主軸にグリップユニット方向への負荷を掛けていない状態であり、（ｂ）はトリガー主軸にグリップユニット方向への負荷を掛けた状態である。
【０００４】
すなわち、トリガー主軸１に指（好ましくは、右利きの人は左手の人差し指）の先端部の腹面をかけ、その腹面に力を入れて（負荷を掛けて）トリガー主軸１をグリップユニットＢ方向（手前方向）に引き寄せると、トリガー主軸１は根元軸部４を中心に回動して、トリガー主軸１の先端２はグリップユニットＢ方向に引き寄せられ、トリガー主軸１の基端３付近に設けた偏芯凸部５が揺動レバー６を突き上げ、その結果揺動レバー６の一端に接続されている垂直バネ７が引き伸ばされるようになる。
【０００５】
ついでトリガー主軸１へ掛けられた負荷を解除すると、前記垂直バネ７の引き戻し力で揺動レバー６と偏芯凸部５が元の位置に戻され、トリガー主軸１も根元軸部４を中心に回動して元の位置に戻される。
このように、トリガー主軸１は根元軸部４を中心として、トリガー主軸１に負荷を掛けたり解除したりすることで、グリップユニット２に近づいたり、離れたりという、直線的な移動をするものであった。
【先行技術文献】
【特許文献】
【０００６】
【特許文献１】特開平８−１０７５８８号公報
【特許文献２】特開２００１−６２１６０号公報
【特許文献３】特開２００３−３２５９９４号公報
【発明の概要】
【発明が解決しようとする課題】
【０００７】
上記した従来のトリガーユニットでは、トリガー主軸１がその根元軸部４を中心として図４（ａ）の矢印方向へ直線的に移動し、その結果、トリガー主軸１は直線方向の移動をするのみであった。
【０００８】
しかしながら、トリガー主軸１を直線方向に移動させた場合には、トリガー主軸１に掛けた指の各関節を必要以上に折り曲げる必要があったため、そのことは指の動きから見ると不自然な動作を強いているという問題点があった。
【０００９】
本発明は、トリガー主軸１をグリップユニットＢ方向へ引き寄せる際の指の動きに良く馴染み、指の各関節を必要以上に折り曲げることなく、楽で自然な形でトリガー主軸１の操作ができるようになり、上記の全ての課題を解決できるようにしたラジコン模型用送信機のトリガーユニットを提供せんとするものである。
【課題を解決するための手段】
【００１０】
本発明に係るラジコン模型用送信機のトリガーユニットの請求項１のものは、
トリガー主軸にグリップユニット方向への負荷を掛けない状態下で、トリガー主軸の先端を、トリガー主軸の基端よりもグリップユニットから遠い位置に配設し、このトリガー主軸の基端付近に、トリガー主軸と略直交する方向に伸びる直交軸を設け、この直交軸の先端付近に回動支軸を設け、この直交軸先端の回動支軸の隣接位置に偏芯凸部を設け、トリガー主軸にグリップユニット方向への負荷を掛けた際に、この偏芯凸部により押圧される揺動レバーを配設し、この揺動レバーは一端を送信機の本体に軸着し、揺動レバーの他端をコイルバネの先端に係止し、コイルバネの基端を送信機の本体に係止したことを特徴とするラジコン模型用送信機のトリガーユニットである。
【００１１】
また請求項２は、直交軸の先端に、揺動レバーを挟持する形態の挟み込み部を形成したことを特徴とする請求項１記載のラジコン模型用送信機のトリガーユニットである。
【発明の効果】
【００１２】
請求項１記載のラジコン模型用送信機のトリガーユニットは、トリガー主軸がグリップユニットに対して、直線的に引き寄せられるのではなく、円弧を描きながら引き寄せられるようになり、トリガー主軸１をグリップユニットＢ方向へ引き寄せる際、トリガー主軸１に掛けた指の各関節を必要以上に折り曲げることなく、楽で自然な形でトリガー操作ができるようになり、指の自然な動きに馴染み、トリガー主軸の操作の円滑性が向上する優れた効果を発揮する。
【００１３】
請求項２記載のラジコン模型用送信機のトリガーユニットは、直交軸の先端に揺動レバーを挟持するような形態の挟み込み部を形成したため、トリガーユニットがコンパクトな構成になりつつ、本発明の目的とするトリガー主軸の円弧を描きながらグリップユニット方向へ引き寄せられるという所期の目的を確実に達成できるという優れた効果を発揮する。
【図面の簡単な説明】
【００１４】
【図１】本発明のトリガーユニットを備えた、ラジコン模型用送信機の正面図である。
【図２】本発明のトリガーユニットにおいて、トリガー主軸にグリップユニット方向への負荷を掛けていない状態の図面で、（ａ）は平面図、（ｂ）は正面図である。
【図３】本発明のトリガーユニットにおいて、トリガー主軸にグリップユニット方向への負荷を掛けた状態の図面で、（ａ）は平面図、（ｂ）は正面図である。
【図４】従来のトリガーユニットの正面図で、（ａ）はトリガー主軸にグリップユニット方向への負荷を掛けていない状態、（ｂ）はトリガー主軸にグリップユニット方向への負荷を掛けた状態である。
【発明を実施するための形態】
【００１５】
以下、図面を参照して本発明のラジコン模型用送信機のトリガーユニットＡの実施の形態を説明する。
図１は、本発明のトリガーユニットＡを備えた、ラジコン模型用送信機の正面図であり、このラジコン模型用送信機には、本発明のトリガーユニットＡのほかに、グリップユニットＢ、上部本体Ｃ、ステアリングユニットＤ、バッテリーユニットＥなどが搭載されている。
また符号２０は液晶ディスプレー（ＬＣＤ）であり、２１はアンテナ、２２はトリガー主軸１を押し戻す際に使用する戻しレバーである。
【００１６】
本発明のトリガーユニットＡは、図２及び図３に示すように、トリガー主軸１にグリップユニットＢ方向への負荷を掛けない状態下で、トリガー主軸１の先端２を、トリガー主軸１の基端３よりもグリップユニットＢから遠い位置に配設しておく。
【００１７】
このトリガー主軸１の基端３付近に、トリガー主軸１と略直交する方向に伸びる直交軸１０の先端１１を取り付け、この直交軸１０の基端１２付近に、直交軸１０の根元軸部１３を設け、この根元軸部１３は送信機の本体１９に係止される。
【００１８】
この直交軸１０の基端１２の隣接位置に偏芯凸部１５が設けられ、トリガー主軸１にグリップユニットＢ方向への負荷を掛けた際に、この偏芯凸部１５により押圧される揺動レバー１６が配設されており、この揺動レバー１６は揺動支軸１７位置で送信機の本体１９に軸着されているため、揺動レバー１６は揺動支軸１７を中心にして揺動することになる。
【００１９】
さらに揺動レバー１６の他端には戻しバネ１８の先端が係止され、この戻しバネ１８の基端は送信機の本体１９に係止しているので、揺動レバー１６は常に揺動レバー１６の他端を戻しバネ１８方向に引き戻し力が付勢され、トリガー主軸１への負荷が解除された際には、ただちにトリガー主軸１を負荷をかける前の状態に戻す力が働く。
【００２０】
ついで本発明の直交軸１０の先端１１に、直交軸の挟み込み部１４を形成するようにしても良い。この挟み込み部１４は、直交軸１０の先端に揺動レバー１６が潜り込むスペースが確保されていれば、どのような構成であってもかまわない。
この挟み込み部１４を形成することで、トリガーユニットがコンパクトな構成になりつつ、本発明の目的とするトリガー主軸が円弧を描きながらグリップユニット方向へ引き寄せられるという所期の目的を確実に達成できる。
【産業上の利用可能性】
【００２１】
本発明によれば、トリガーユニットを備えたラジコン模型用送信機を製造する現場、それを販売する現場、それを利用する現場で幅広く利用することができる。
【符号の説明】
【００２２】
Ａ    トリガーユニット
Ｂ    グリップユニット
Ｃ    上部本体
Ｄ    ステアリングユニット
Ｅ    バッテリーユニット
１    トリガー主軸
２    トリガー主軸の先端
３    トリガー主軸の基端
４    トリガー主軸の根元軸部
５    偏芯凸部
６    揺動レバー
７    垂直バネ
１０  直交軸
１１  直交軸の先端
１２  直交軸の基端
１３  直交軸の根元軸部
１４  直交軸の挟み込み部
１５  直交軸に設けた偏芯凸部
１６  揺動レバー
１７  揺動レバーの揺動支軸
１８  トリガー主軸戻し用の戻しバネ
１９  送信機の本体
２０  液晶ディスプレー
２１  アンテナ
２２  トリガー主軸戻し用の戻しレバー
【図１】
0005474692.tif 000002
【図２】
0005474692.tif 000003
【図３】
0005474692.tif 000004
【図４】
0005474692.tif 000005